(57)【要約】【課題】電力量計の装置構成を変更することなく、誤配線を未然かつ確実に防止することができる電力量計アダプタを提供する。【解決手段】電力量計ＷＨの端子部Ｘに着脱自在に装着される電力量計アダプタ１は、端子部Ｘの各端子Ｙに対応して設けられ、各端子Ｙに接続されるケーブルＺが挿通可能な複数の貫通孔２と、貫通孔２内に設けられて、貫通孔２に挿通されるケーブルＺの色を識別するカラーセンサ群３と、カラーセンサ群３によって識別されたケーブルＺの色が、端子Ｙと対応するか否かを判定する判定処理部４ａとを備える。そして、判定結果が端子Ｙと対応しないときには、ＬＥＤ群５が点灯し、スピーカ６からブザー音が発せられる。【選択図】図１
2008209153.tif 000002
【特許請求の範囲】
【請求項１】
電力量計の複数の端子から成る端子部に着脱自在に装着される電力量計アダプタであって、
前記端子部の各端子に対応して設けられ、各端子に接続されるケーブルが挿通可能な複数の貫通孔と、
前記貫通孔内に設けられて、該貫通孔に挿通されるケーブルの色を識別する識別手段と、
前記識別手段によって識別されたケーブルの色が前記端子と対応するか否かを判定する判定手段と
を備えることを特徴とする電力量計アダプタ。
【請求項２】
請求項１記載の電力量用アダプタにおいて、
前記判定手段による判定結果が前記端子と対応しないときに警報を発する警報手段を備えることを特徴とする電力量計アダプタ。
【請求項３】
請求項１又は２記載の電力量計アダプタにおいて、
前記判定手段による判定結果が前記端子と対応しないときに該貫通孔への前記ケーブルの挿通を阻止する阻止手段を備えることを特徴とする電力量計アダプタ。
【発明の詳細な説明】
【技術分野】
【０００１】
本発明は、電力使用量を計測する電力量計の端子部分に装着される電力量計アダプタに関する。
【背景技術】
【０００２】
電力量計ＷＨは、図５に示すように、計器用変圧器ＶＴ及び変流器ＣＴを一体化した電力需給用の計器用変成器ＶＣＴに、チェックターミナルＴＴを介して接続されて、計器用変圧器ＶＴで変成された電流及び電圧を計測して使用電力量を積算するものである。
【０００３】
ここで、電力量計ＷＨと計器用変成器ＶＣＴとは、各々別体であるため、使用現場にケーブルを用いて結線される。そのため、組立の際に、電力量計ＷＨと計器用変成器ＶＣＴとの誤配線が発生する可能性がある。この誤配線を回避するためにチェックターミナルＴＴが使用されるとともに、配線に使用されるケーブルは各々異なる色の被覆がなされており、配線を行う作業者は、順次確認しながら配線を行う。しかし、このような方策を採ったとしても、完全に誤配線等の発生を防止することはできない。
【０００４】
一方、かかる誤配線を防止するために、電力量計に電圧比較部及び位相比較部を設けて、配線の正誤を表示する電子式電力量計が知られている（特許文献１参照）。
【特許文献１】特開２００６−３００７２９号公報
【発明の開示】
【発明が解決しようとする課題】
【０００５】
しかしながら、かかる電子式電力量計によって誤配線が検知されたとしても、既に誤配線がなされてしまった後であるため、作業者は、一度行った配線を見直して配線をやり直さなければならない。
【０００６】
また、電力量計にかかる電圧比較部及び位相比較部を設けると、装置構成が複雑となり、電力量計自体が大掛かりなものとなる。電力量計は、正しく配線されて一度設置されると、メンテナンスや補修などの場合を除いて、交換時期である５〜７年間維持されるものである。そのため、配線時にのみ必要とされる電圧比較部及び位相比較部を設けることで、計量器の製造コストが嵩むという不都合を生じる。
【０００７】
そこで、本発明は、電力量計の装置構成を変更することなく、誤配線を未然かつ確実に防止し、配線作業の効率化を図ることができる電力量計アダプタを提供することを目的とする。
【課題を解決するための手段】
【０００８】
本発明は、電力量計の複数の端子から成る端子部に着脱自在に装着される電力量計アダプタであって、前記端子部の各端子に対応して設けられ、各端子に接続されるケーブルが挿通可能な複数の貫通孔と、前記貫通孔内に設けられて、該貫通孔に挿通されるケーブルの色を識別する識別手段と、前記識別手段によって識別されたケーブルの色が前記端子と対応するか否かを判定する判定手段とを備えることを特徴とする。
【０００９】
かかる電力量計アダプタは、電力量計にケーブルを配線する際に、電力量計の端子部に装着して用いられ、配線作業を行う作業者は、端子部の各端子に対応する各貫通孔に配線するケーブルを挿通させて電力量計への配線を行う。このとき、貫通孔内に設けられた識別手段によってケーブルの色が識別され、判定手段によって、そのケーブルの色が配線しようとする端子と対応するものであるか否かが判定される。そのため、配線がされる前に、その配線しようとするケーブルが正しいものであるか否かを検知することができ、誤配線を未然かつ確実に防止し、配線作業の効率化を図ることができる。また、配線終了後には、電力量計から取り外され、電力量計の構成を変更することもない。
【００１０】
前記判定手段による判定結果が前記端子と対応しないときに警報を発する警報手段を備えることが好ましい。例えば、かかる警報手段としては、視覚的な警報を行う表示装置や聴覚的な警報を行うスピーカ等を用いることで、配線しようとするケーブルが電力量計の端子に対応するものであるか否かを確実に作業者等に報知することができる。
【００１１】
前記判定手段による判定結果が前記端子と対応しないときに該貫通孔への前記ケーブルの挿通を阻止する阻止手段を備えることが好ましい。これにより、配線を行う作業者が誤配線を行おうとしている場合には、貫通孔を通してのケーブルの配線ができなくなり、誤配線を確実に防止することができる。
【発明を実施するための最良の形態】
【００１２】
図１に示すように、本実施形態の電力量計アダプタ１は、電力量計ＷＨの端子部Ｘに装着して用いられ、端子部Ｘの各端子Ｙに接続されるケーブルＺの正誤を判定する。
【００１３】
具体的に電力量計アダプタ１は、各端子Ｙに対応して設けられた複数の貫通孔２と、各貫通孔２内に設けられた識別手段としてのカラーセンサ群３と、コントローラ４（図２参照）と、警報手段としての発光ダイオード（ＬＥＤ）群５及びスピーカ６と、阻止手段として貫通孔２の開閉を行うアクチュエータ群７及び開閉部材群８（図３参照）と、電源９及び電源スイッチ１０と、着脱手段としての係合部材１１とを備える。
【００１４】
貫通孔２は、ケーブルＺが挿通可能であり、かつ挿通させたケーブルＺを開放側から抜け出させる半貫通孔となっている。また、各貫通孔２は、係合部１１によって電力量計アダプタ１が電力量計ＷＨに装着された際に、各端子Ｙにそれぞれ対応する位置に位置するようにその間隔が設計されている。
【００１５】
カラーセンサ群３は、各々の貫通孔２の挿通口近傍の内壁が抉られた溝部に各々設置されたカラーセンサ３１〜３７（図３参照）によって構成されている。各カラーセンサ３１〜３７は、検出対象物の色が変化するとこれを検出し得るセンサであって、貫通孔２に挿通されたケーブルＺの被覆部分の色を識別する。具体的に各カラーセンサ３１〜３７は、ケーブルＺの被覆体の色に対応した検出値を出力する。
【００１６】
コントローラ４は、図２に示すように、各カラーセンサ３１〜３７の検出値が入力され、各ＬＥＤ５、スピーカ６及びアクチュエータ群７の動作信号を出力する制御回路である。コントローラ４は、判定処理部４ａを備え、判定処理部４ａによって、各カラーセンサ３１〜３７の検出値が、各々予め設定された値の範囲内となっているか否かが判定される。これにより、各カラーセンサ３１〜３７によって識別されたケーブルＺの色が、端子Ｙと対応するか否かを判定することができる。さらに、コントローラ４は、ケーブルＺの色が端子Ｙと対応するものでない場合には、その対応しない部分に関する警報出力を発生させる。
【００１７】
ＬＥＤ群５は、電力量計アダプタ１の外面に、各貫通孔２に対応するように複数設けられたＬＥＤ５１〜５７によって構成されており、各ＬＥＤ５１〜５７は、コントローラ４の警報出力に基づいて、その一部又は全部が点灯する。また、スピーカ６は、コントローラ４からの警報出力に基づいて、警報音であるブザーを発する。
【００１８】
アクチュエータ群７は、図３に示すように、貫通孔２の数に応じて複数並列されたアクチュエータ７１〜７７から構成されており、各アクチュエータ７１〜７７は、可動部７ａと、内部に設けられた励磁コイルと磁性体（図示省略）とを備え、励磁コイルに流れる電流の向きに応じて可動部７ａが往復運動をする。これにより、コントローラ４からの出力に基づいて、励磁コイルに電流が正方向に流れると可動部７ａが前進するように動作し、逆方向に流れると可動部７ａが後退する。
【００１９】
開閉部材群８は、各アクチュエータ７１〜７７の可動部７ａに、それぞれ連結された開閉部材８１〜８７から構成されている。各開閉部材８１〜８７は、その一部が切欠かれた切欠部８ａを有する板体であり、その両端部がスライド溝８ｂに嵌っており、アクチュエータ７の可動部７ａの動作に合わせて部材全体がスライド可能となっている。また、各開閉部材８１〜８７は、それぞれの切欠部８ａの形状によってその形状が異なっている。具体的には、切欠部８ａによって切欠かれて残存する遮蔽部８ｃが、各開閉部材８１〜８７のスライド位置に応じていずれかの１つの貫通孔２を遮蔽し、他の貫通孔２はスライド位置に関わらず、遮蔽しないように設計されている。
【００２０】
電源９は、図示しない小型の蓄電池によって構成され、電源スイッチ１０は、電源９からコントローラ４に供給される電力をＯＮ／ＯＦＦする。
【００２１】
係合部材１１は、先端側に一定の間隔を隔てて複数の爪部１２が形成された部材であって、電力量計アダプタ１の両側面に軸着されている。爪部１２は、電力量計ＷＨの側面の突出部Ｗ（図１参照）と係合するようになっており、電力量計ＷＨの形状が違っても、複数の爪部１２のいずれかがその電力量計ＷＨの側面の突出部Ｗと係合する。
【００２２】
次に、上記電力量計アダプタ１の使用方法について説明する。
【００２３】
図１に示すように、配線を行う作業者は、まず、電力量計ＷＨに電力量計アダプタ１を装着する。電力量計ＷＨへの装着は、係合部材１１の爪部１２を電力量計ＷＨの側面の突出部Ｗに係合させることによって行われる。この際、作業者は、係合部材１１の爪部１２の中から、電力量計ＷＨにあった爪部１２を選定して、その爪部１２を突出部Ｗに係合させることができ、電力量計ＷＨの形状によらず、電力量計アダプタ１を電力量計ＷＨに確実に装着することができる。
【００２４】
電力量計アダプタ１が電力量計ＷＨに装着されると、各貫通孔２がそれぞれ電力量計ＷＨの各端子Ｙに対応する位置に配置される。作業者は、各貫通孔２の配置を確認した上で、電源スイッチ１０をＯＮさせる。これにより、電源９からコントローラ４に作動用の電力が供給される。
【００２５】
コントローラ４に作動用の電力が供給されると、コントローラ４によって、各アクチュエータ７１〜７７の動作位置が初期化される。具体的には、各アクチュエータ７１〜７７の励磁コイルに逆方向の所定電流を流し、すべてのアクチュエータ７１〜７７の可動部７ａを後退させる。これにより、各アクチュエータ７１〜７７に連結された各開閉部材８が初期位置に保持され、各貫通孔２は、各開閉部材８１〜８７の遮蔽部８ｃによって遮蔽される。また、コントローラ４に作動用の電力が供給されることによって、各カラーセンサ３１〜３７による色の検出が可能となる。
【００２６】
電源スイッチ１０をＯＮした後、作業者は、給電側の変成器の２次端子に接続されたケーブルＺを、貫通孔２を介して電力量計ＷＨの端子Ｙに接続する。電力量計ＷＨの端子Ｙに接続するために、貫通孔２内に挿通されたケーブルＺは、挿通口近傍に設けられたカラーセンサ３１〜３７によって、そのケーブルＺの被覆部分の色が検出される。
【００２７】
各カラーセンサ３１〜３７の検出値は、コントローラ４に出力されて、コントローラ４の判定処理部４ａによって、各カラーセンサ３１〜３７の検出値が、各々予め設定された値の範囲内となっているか、すなわち、ケーブルＺの色が端子Ｙと対応するか否かが判定される。
【００２８】
例えば、第１番目の貫通孔２に正しい黒色のケーブルＺが挿通された場合について説明する。この場合、図２において、カラーセンサ３１から、ケーブルＺの色が黒色であることに対応した検出値がコントローラ４に出力される。判定処理部４ａは、カラーセンサ３１の検出値が予め設定された黒色の設定値の範囲内となっているか否かを判定し、第１番目の貫通孔２に挿通されたケーブルＺは端子Ｙと対応する正しいものであると判定する。
【００２９】
一方、第１番目の貫通孔２に誤った黄色のケーブルＺが挿通された場合には、カラーセンサ３１は、ケーブルＺの色が黄色であることに対応した検出値をコントローラ４に出力する。この場合、判定処理部４ａは、カラーセンサ３１の検出値が予め設定された黒色の設定値の範囲内となっているか否かを判定し、第１番目の貫通孔２に挿通されたケーブルＺは端子Ｙと対応しない誤ったものであると判定する。
【００３０】
次に、コントローラ４は、判定処理部４ａの判定結果に基づいて、アクチュエータ７１〜７７、ＬＥＤ５１〜５７又はスピーカ６を作動させる。具体的に、第１番目の貫通孔２に挿通されたケーブルＺが端子Ｙと対応する正しいものであると判定された場合には、アクチュエータ７１の可動部７ａを前進させて、第１番目の貫通孔２を遮蔽する開閉部材８１を変位させる。これにより、第１番目の貫通孔２は、開閉部材８１の遮蔽部８ｃによる遮蔽から解かれて、端子Ｙ側まで挿通可能となり、作業者は、正しいケーブルＺの配線が行われていることを確認しながら、配線作業を効率的に行うことができる。
【００３１】
一方、第１番目の貫通孔２に挿通されたケーブルＺが端子Ｙと対応しない誤ったものであると判定された場合には、第１番目の貫通孔２に関する警報出力を発生させる。警報出力に基づいて、第１番目の貫通孔２に対応して設けられたＬＥＤ５１が点灯すると共に、スピーカ６からブザー音が発せられる。これにより、作業者は、端子Ｙとの組み合わせで、誤ったケーブルＺの配線を行おうとしていることを認識することができる。また、複数の配線を同時並行的に行っている場合にも、誤ったケーブルＺの配線を行おうとしている部分のＬＥＤが点灯するため、どの配線が誤っているのかを一見して認識することができる。
【００３２】
さらに、ケーブルＺが端子Ｙと対応しない誤ったものである場合には、アクチュエータ７１は作動することがないため、第１番目の貫通孔２は、開閉部材８１の遮蔽部８ｃによって遮蔽されたままとなっており、誤配線を未然かつ確実に防止することができる。
【００３３】
そして、作業者が、他のケーブルＺを挿通し直した場合には、ＬＥＤ５１を消灯すると共にスピーカ６からのブザー音を停止させた上で、改めて、各カラーセンサ３１〜３７の検出値が、各々予め設定された値の範囲内となっているか否かが判定される。
【００３４】
このようにして、すべての配線が終了すると作業者は、電力量計ＷＨから電力量計アダプタ１を取り外す。具体的には、係合部材１１の係合を解いた上で、電力量計アダプタ１を、貫通孔２の開放側及び開閉部材８１〜８７の切欠側と反対方向に移動させる。これにより、配線されたケーブルＺが貫通孔２の開放側から抜け出されて、電力量計アダプタ１を分離することができる。分離された電力量計アダプタ１は、他の電力量計ＷＨに適用することができる。
【００３５】
尚、本実施形態の電力量計アダプタにおいては、各貫通孔毎にケーブルの色を判別して、その貫通孔を遮蔽する各開閉部材８１〜８７を動作させるようにしているが、別の実施形態として、図４に示すように、全ての貫通孔を遮蔽可能な１枚の開閉部材８０を設けて、各貫通孔に挿入されたケーブルが全て正しい場合に開閉部材８０を動作させるようにしてもよい。この場合、貫通孔２の挿通口と開閉部材８０との間に、貫通孔の幅を一部狭める保持部１３が設けられており、貫通孔２に挿入されたケーブルＺは、保持部１３で一時的に仮留めされるようになっている。
【００３６】
そのため、配線作業を行う作業者は、各貫通孔２にケーブルＺを挿通し、保持部１３でケーブルＺを一時的に仮留めさせる。その後、全てのケーブルの色が正しく、アクチュエータ７０により開閉部材８０が動作して各貫通孔が開放されるのを確認した上で、ケーブルＺを貫通孔２の奥まで進めて電力量計に接続する。これにより、作業者は、全てのケーブルＺの配線が正しく行われていることを確認しながら、配線作業を効率的に行うことができる。
【００３７】
また、上記実施形態の電力量計アダプタにおいては、誤った配線がなされた貫通孔に対応したＬＥＤを点灯させたが、これに限らず、正しい配線がなされた貫通孔に対応するＬＥＤを点灯させてもよく、また、配線の正誤で点灯するＬＥＤの色を変更するようにしてもよい。
【００３８】
さらに、上記実施形態では、誤った配線がなされた場合に、スピーカからブザー音を発するようにしたが、これに限らず、正しい配線がなされた場合と、誤った配線がなされた場合とで、異なる音色を発して、配線の正誤を作業者に伝えるようにしてもよい。
【図面の簡単な説明】
【００３９】
【図１】実施形態の電力量計アダプタの外観を示す斜視図。
【図２】実施形態の電力量計アダプタの回路構成を示す図。
【図３】実施形態の電力量計アダプタの内部構造を示す図。
【図４】別実施形態の電力量計アダプタを示す図。
【図５】電力量計の配線を示す説明図。
【符号の説明】
【００４０】
１…電力量計アダプタ、２…貫通孔、３…カラーセンサ群（識別手段）、４…コントローラ、４ａ…判定処理部（判定手段）、５…ＬＥＤ群（警報手段）、６…スピーカ（警報手段）、７…アクチュエータ群、８…開閉部材群（阻止手段）、８ａ…切欠部、８ｂ…スライド溝、８ｃ…遮蔽部、９…電源、１０…電源スイッチ、１１…係合部材、１２…爪部、３１〜３７…カラーセンサ、５１〜５７…ＬＥＤ、７０〜７７…アクチュエータ、８０〜８７…開閉部材、ＷＨ…電力量計、Ｘ…端子部、Ｙ…端子、Ｚ…ケーブル、Ｗ…突出部。
【図１】
2008209153.tif 000003
【図２】
2008209153.tif 000004
【図３】
2008209153.tif 000005
【図４】
2008209153.tif 000006
【図５】
2008209153.tif 000007